(57)【要約】      （修正有）【課題】回転体による角度変換移動方法６に関する。  物体の移動は古来より、直線の作用反作用のニュートン等先哲の運動の法則により、決められ、またそのように学び、そのように見えてきたが、回転する自動車の車輪等を観察するに上記の法則にそぐわないことがある。【解決手段】  回転体の移動には従来の直線法の他に直角法と相殺法があり、後の二法で解決する。【選択図】なし【特許請求の範囲】
【請求項１】
自転と内径を含む中心軸と頂点を結ぶ線以外への平行な加力の直角法による回転体による角度変換移動方法６
【請求項２】
直角法を対抗して、反作用の角度が直線でないために互いに反作用を相殺して移動する相殺法による回転体による角度変換移動方法６
【請求項３】
重力圏内あるいは擬似重力圏内において、直角法により重力に抗して移動することにより発生する位置エネルギーを直線法により回転体に戻してあるいは戻さずに移動し、あるいは併用して移動する請求項１及び請求項２および請求項３の回転体による角度変換移動方法６
【請求項４】
無重量状態あるいは重力圏内において、質量の適宜位置に回転体を設置して、逆回転部位に加力部を設けて、設置した階段状等の受け部を直角法により、あるいは相殺法と併用あるいは直線法と併用して移動する請求項１及び請求項２および請求項３および請求項４の回転体による角度変換移動方法６
【請求項５】
無重量状態あるいは重力圏内において、各々の圏内あるいは互いの境界等の条件に応じて、直線法と直角法と相殺法を併用しあるいは単独使用と適宜使い分けて移動する請求項１及び請求項２および請求項３および請求項４および請求項５の回転体による角度変換移動方法６
【請求項６】
回転体の移動において直角法により移動し、あるいは相殺法により移動し、互いの出力に差を生ぜしめて、あるいは回転体の進行方向を回転して、進行方向を変えて移動する請求項１および請求項２および請求項３および請求項４および請求項５および請求項６の回転体による角度変換移動方法６
【請求項７】
人間等生物を搭載した系において回転体の各々の質量差あるいは出力差により回転差を生ぜしめて出力を均衡して、あるいは互いの回転に影響されない回転に対して中立な別個の系を一体に構成して回転による荷重負担を減ずる請求項１および請求項２および請求項３および請求項４および請求項５および請求項６および請求項７の回転体による角度変換移動方法６
【発明の詳細な説明】
【技術分野】
【０００１】  回転体による移動において、回転体による角度変換移動方法６に関する。
【背景技術】
【０００２】  物体の移動は古来より、直線の作用反作用（以下直線法と称す）のニュートン等先哲の運動の法則により、決められ、またそのように学び、そのように見えてきた。
【特許文献１】  すべての登録公報
【非特許文献１】  高校教科書ー物理
【発明の開示】
【発明が解決しようとする課題】
【０００３】  回転する自動車の車輪等を観察するに上記の法則にそぐわないことがある。
【課題を解決するための手段】
【０００４】  回転体に力を加え（以下加力と称す）て移動する場合、回転体の円周より中心軸（重心）に向かう力と中心以外に向かう力の二通りの加力の方法が考えられる。
一つは円周を頂点として中心軸方向への加力と（これをＡとする）
いま一つは中心軸以外の方向への加力である（これをＢとする）。
Ａにおける加力をみると【０００５】  円周を頂点として中心軸への加力、あるいは逆方向の加力であり、地上におけるタイヤ等の加力状態を表している。
したがって円周と地面との接地点を頂点として、あるいは仮の支点としてタイヤ（以下回転体と称す）は回転体の重心を含む全体が回転（以下公転と称す）している。
しかし地面が連続しているために、微分的にみれば次々と加力と頂点が連続した状態と考えられ、下からの加力に沿ってはいるが直進しているものではない。【０００６】  本来頂点を軸に公転すべきもの、つまり進行方向に対して初期に横方向と下方向の比が１００：０で次第に下方向の成分が増して直角では０：１００となるもので、最終方向は加力方向に対して直角である。
したがって公転の最大径の直角で公転は終わって接線方向で自転となるものである。
すなわち回転体への加力のうち円周より頂点への加力では、中心軸方向への加力のために回転する物体は直進できないもので、頂点への加力の連続により横移動するものであり、地上の場合摩擦による横の力は押さえ付けの重力に付随して発生している。【０００７】  直進しているように思えるのは、回転体の自転と頂点への二方向の加力（摩擦による横方向の力と重力による中心軸方向の力の連続）によるものである。
【発明の効果】
【０００８】  現今  ニュートン等先哲の直線の作用反作用の法則による直線法に方向付けられてなされている、現代科学による開発、発明、創造のもたらしている文明の一部は、閉塞感、地球環境、あるいは資源問題等等の混乱危機的な状況を呈しており、解決すべき緊近の課題であり、例えば本方法を用いれば直線法では用いることが不可能であった原動力の爆発によるシリンダー等固定部分で耐性として費消している力の利用も容易となる等、  現在の状況を乗り越えるために、柔軟な衆知により、展開するに値する具体性ある着想である。
【発明を実施するための最良の形態】  すなわち回転体の自発移動即ち公転は地上ではＡもＢも可能であるが、無重力ではＢに収斂するもので、それ以外の運動方法は直線法の慣性移動しかない。
回転体における移動においてＡに表す、先哲の直線法は回転体の自転と中心軸方向の加力と直角の加力の、二方向の加力と無回転体への加力であり、Ｂに表す自転と中心軸以外の方向への加力による物体の移動方法（以下直角法と称する）が存在し、Ｂの方法でも移動は行えるものである。【０００９】  卑近な例では直線法で一くくりにされている人間の歩行も単に地面を蹴って直線法で進んでいるのではなく、脚を半径とした重心を中心軸とした回転であるから、重心を中心として前に出る差し足は重心に対して直角法が主体となって重心を持ち上げて進み、重心より後の蹴り足は摩擦により地面を蹴って重心が下がる、重心の自転域の摩擦による直線法であり、したがって宇宙の無重力状態でも、人体に回転体を質量の適宜位置に付けて回転すれば円弧状に、上下の区別はないから設置された階段を送り足で上るように進むことが可能であり、いずれも質量の中心に対する加力位置の比で両法則の比率は変わる。
【実施例１】
【００１０】  図面は省略して文章説明とする。
次にＢにおける中心軸以外の方向への加力をみると、回転している回転体の主として逆回転している部位の、内径を含む水平方向に垂直に加力することにより、回転体は加力点を仮の支点として、初期に縦と横の比が１００：０で次第に０：１００となって公転する。【００１１】  しかしてその反作用は表われる横成分に対して直角となる。
この場合軌跡は円周方向であるから、９０度で接線方向の自転となり地上では重力により重力加速度内の移動では原点に戻り、重力のない宇宙ではその点あるいは延長が次の公転の出発点となるので、斜に上るか、対にしてバネ等で復帰しなければならない。
これらよりＢとＡは互いに位相が９０度ずれて発生するもので、地上ではいずれにも横方向の成分が存在しており、合力であって直進はできず、円弧である。
すなわち地上においても、地面が切れるとしたら、重力で落下するほかに、公転により回転体は下方向に０：１００まで公転して移動するので、その際の加力方向と公転方向はＢに等しく直角である。【００１２】  このことは重力のない即ち地面のない宇宙においては、Ａへの加力は回転ゼロの回転体の質量の中心への加力と等しく直線の作用反作用即ち直線法を示して加力と逆方向に進み、Ａの地面に匹敵する摩擦もなく直角の加力が除かれるから、公転できないで、加力による慣性移動のみであり地上におけるような、自発移動は不可能となる。
すなわち重力による加力による摩擦がＡにはないために回転に応じた横方向の加力に対する反作用が発生しないで横移動しない。【００１３】  Ｂにおいては地上では加力方向が接地する頂点と中心軸即ち重心と平行、宇宙では頂点と中心軸とを結ぶ線と平行方向で、いずれも頂点方向以外の、即ちＡへの加力方向と平行あるいは直角に（いずれも等しくなる）加力することにより、公転するもので、宇宙ではＡへの加力では摩擦による横方向の加力がないので重心の横移動がないために横移動はできず、地上同様回転ゼロの回転体の移動しかできない。
これより地上では常識の回転体の直進は、宇宙よりみれば重力による特殊な状態での現象といえる。【００１４】  また、上記Ｂの原理、即ち反作用が直線とならない原理即ち直角法を互いに逆転する対の回転体に組み合わせて、直線法では進行方向は互いに逆となって進行は起こらず、反作用は逆直線上となるために反作用の相殺での移動は不可能であるものを、互いに対抗して逆回転する回転体の反作用を直角法により、互いに反作用を相殺すれば同一方向に公転して、単体ではできなかった直進が初めて可能となるもので、地面を蹴る等、周囲の環境と関係なく、宇宙でも加力に対して対どうしが互いに反作用を相殺して同一方向に直角に直線で位置移動して進行でき、また地上の重力圏内でも適用できる。【００１５】  まとめると  回転体の移動は
直線法ーＡ  自転と中心軸と頂点を結ぶ方向への加力と直角の加力による移動。
（ニュートン等先哲による直線の作用反作用と回転ゼロの回転体への                  加力）
直角法ーＢ  自転と内径を含む中心軸と頂点を結ぶ線以外への平行な加力による移動                。
相殺法ーＣ  Ｂの直角法を対抗して、反作用の角度が直線でないために反作用を互い                に相殺して移動。【００１６】  結果
回転体の移動は
１  中心軸への加力は直線法であり、以外への加力は直角法を表す。
２  直角法を対抗することで周囲と関係なく自発移動する。
注  直線法は地上等の重力または重力に替わる力でのみ有効。【００１７】    このことは、直線法では地面、ロケットの噴射等の対象のない場では不可能とされていた物体の移動が、本直角法により反作用を相殺することにより可能となるものである。
すなわち、今まで述べた方法で二方向の押さえとなる直線となり、あとの二方向からの即ち直角に対の回転体を組み合わせることにより、真正の直線となる。【００１８】  また単体あるいは単体の並列の回転体においては、地上等のように発生する重力圏内あるいは回転による擬似重力圏内において、直角法により重力に抗して移動することにより発生する位置エネルギーを反作用の受け部の車輪等の回転体に直線法により戻してあるいは戻さずに移動でき、また直線法の発明になる車輪により相殺法と併用して、重力に抗する事なく移動するもので、無重量状態において、人体、物資等の質量の適宜位置に回転体を設置して、逆回転部位に加力部を設けて、設置した階段状等の受け部を直角法により移動することができて、直線法による宇宙遊泳等の危険な移動方法でなく、信頼性の高い作【００１９】業が可能となり、重力圏内あるいは無重力圏内により、直線法あるいは直角法あるいは相殺法を併用し、あるいは使い分けて移動することが単体あるいは単体の並列あるいは対あるいは対以上、積層の回転体を含めて可能となり、また無重量状態あるいは重力圏内において、各々の圏内あるいは互いの境界等の条件に応じて、直線法と直角法と相殺法を併用しあるいは単独使用と適宜使い分けて移動して効率的で減速増速時の事故を防ぎ、直角法により移動し、あるいは相殺法により移動するとともに、互いの出力に差を生ぜしめてあるいは回転体を回転して進行方向を周囲に大きな影響を与えずに変えて移動することができ、また回転体の単体、単体の並列あるいは対、積層の回転体において、主として互いに逆転して構成するものであるから常に回転がかかるので、直接人間等生物を搭載した系を片側に設置することは困難である。したがって回転体の各々の質量差あるいは出力差により回転差を生ぜしめて出力を均衡して、あるいは互いの回転と別個に系を構成して回転による荷重力負担を減ずる。また電子の出力のように直線法を示す回転体は円形、大小等形状を限らず回転するものはすべて直角法の要素を有する。
【産業上の利用可能性】
【００２０】  従来の摩擦あるいはガス等の噴射によらなければ、移動が不可能であった、先哲の直線法による移動は力の効率が悪く、対象がなければ動けず、事故の多い航空機、自動車、電車、ロケット等はすべて古来よりの直線の作用反作用の、直線法の方向付けによる発明、創造に起因するものであり、宇宙開発も同じ手法の地上で通用する直線法を延長して行われているものであり、本原理の直角法を用いて大型の移動体を作れば、現在多くの犠牲を払って営々となされている衛星建設も、移動原理の違いによりもっと楽に安全になり、回転体の小型化も十分可能で、周囲に影響を与えずに移動が可能であるので、事故、災害時の狭隘部分への進入作業、あるいは人体内の諸器具の誘導等、人類が重力内外を問わず移し、あるいは機器自身が移動するための、次代の産業革命の核となるものである。【００２１】  本願は回転体による角度変換移動方法の全体像を表すもので、派生する効果は先哲の直線法に対峙するもので、直角法が日常生活上表われる場面が限られているために、あるいは重力の環境にあるために直線法に埋没していたに過ぎない。
すなわち回転体による角度変換移動方法を用いることにより、ガソリン等原動力により発生する力を有効利用する途が開かれて資源枯渇あるいは環境問題の解決を少しでも先延ばしでき、また現在は直線法の高度な技術と危険を背負う宇宙開発のネックである移動方法を平易に解決するものである。【００２２】  また本発見発明は、基礎的要素が多くその有する瞬間移動性、移動環境との無関係等善用悪用の二面性を有している。
直線法は重力の及ぶ範囲の物体の移動原理を主体として、無回転体の慣性の動きと回転体の一部の動作に適用するものであり、本発見により自動車のブレーキ作動時の沈み込み、独楽の停止時の挙動等の諸現象の説明がつく。
【手続補正書】
【提出日】平成17年12月31日(2005.12.31)
【手続補正１】
【補正対象書類名】明細書
【補正対象項目名】全文
【補正方法】変更
【補正の内容】
【発明の詳細な説明】
【技術分野】
【０００１】  回転体による移動において、回転体による角度変換移動方法６および移動体に関する。
【背景技術】
【０００２】  物体の移動は古来より、直線の作用反作用（以下直線法と称す）のニュートン等先哲の運動の法則により、決められ、またそのように学び、そのように見えてきた。【特許文献１】特願２００１−５４０００４７
【非特許文献１】高校教科書ー物理
【発明の開示】
【発明が解決しようとする課題】
【０００３】  回転する自動車の車輪等を観察するに上記の法則にそぐわないことがある。
【課題を解決するための手段】
【０００４】  回転体に力を加え（以下加力と称す）て移動する場合、回転体の円周より中心軸（重心）に向かう力と中心以外に向かう力の二通りの加力の方法が考えられる。      一つは円周を頂点として中心軸方向への加力と（これをＡとする）      いま一つは中心軸以外の方向への加力である（これをＢとする）。  Ａにおける加力をみると【０００５】  円周を頂点として中心軸への加力、あるいは逆方向の加力であり、地上におけるタイヤ等の加力状態を表している。  したがって円周と地面との接地点を頂点として、あるいは仮の支点としてタイヤ（以下回転体と称す）は回転体の重心を含む全体が回転（以下公転と称す）している。  しかし地面が連続しているために、微分的にみれば次々と加力と頂点が連続した状態と考えられ、下からの加力に沿ってはいるが直進しているものではない。【０００６】  本来頂点を軸に公転すべきもの、つまり進行方向に対して初期に横方向と下方向の比が１００：０で次第に下方向の成分が増して直角では０：１００となるもので、最終方向は加力方向に対して直角である。  したがって公転の最大径の直角で公転は終わって接線方向で自転となるものである。  すなわち回転体への加力のうち円周より頂点への加力では、中心軸方向への加力のために回転する物体は直進できないもので、頂点への加力の連続により横移動するものであり、地上の場合摩擦による横の力は押さえ付けの重力に付随して発生している。【０００７】  直進しているように思えるのは、回転体の自転と頂点への二方向の加力（摩擦による横方向の力と重力による中心軸方向の力の連続）によるものである。
【発明の効果】
【０００８】  現今  ニュートン等先哲の直線の作用反作用の法則による直線法に方向付けられてなされている、現代科学による開発、発明、創造のもたらしている文明の一部は、閉塞感、地球環境、あるいは資源問題等等の混乱危機的な状況を呈しており、解決すべき緊近の課題であり、例えば本方法を用いれば直線法では用いることが不可能であった原動力の爆発によるシリンダー等固定部分で耐性として費消している力の利用も容易となる等、  現在の状況を乗り越えるために、柔軟な衆知により、展開するに値する具体性ある着想である。
【発明を実施するための最良の形態】  すなわち回転体の自発移動即ち公転は地上ではＡもＢも可能であるが、無重力ではＢに収斂するもので、それ以外の運動方法は直線法の慣性移動しかない。  回転体における移動においてＡに表す、先哲の直線法は回転体の自転と中心軸方向の加力と直角の加力の、二方向の加力と無回転体への加力であり、Ｂに表す自転と中心軸以外の方向への加力による物体の移動方法（以下直角法と称する）が存在し、Ｂの方法でも移動は行えるものである。【０００９】  卑近な例では直線法で一くくりにされている人間の歩行も単に地面を蹴って直線法で進んでいるのではなく、脚を半径とした重心を中心軸とした回転であるから、重心を中心として前に出る差し足は重心に対して直角法が主体となって重心を持ち上げて進み、重心より後の蹴り足は摩擦により地面を蹴って重心が下がる、重心の自転域の摩擦による直線法であり、したがって宇宙の無重力状態でも、人体に回転体を質量の適宜位置に付けて回転すれば円弧状に、上下の区別はないから設置された階段を送り足で上るように進むことが可能であり、いずれも質量の中心に対する加力位置の比で両法則の比率は変わる。
【実施例１】
【００１０】  図面は省略して文章説明とする。  次にＢにおける中心軸以外の方向への加力をみると、回転している回転体の主として逆回転している部位の、内径を含む水平方向に垂直に加力することにより、回転体は加力点を仮の支点として、初期に縦と横の比が１００：０で次第に０：１００となって公転する。【００１１】  しかしてその反作用は表われる横成分に対して直角となる。  この場合軌跡は円周方向であるから、９０度で接線方向の自転となり地上では重力により重力加速度内の移動では原点に戻り、重力のない宇宙ではその点あるいは延長が次の公転の出発点となるので、斜に上るか、対にしてバネ等で復帰しなければならない。  これらよりＢとＡは互いに位相が９０度ずれて発生するもので、地上ではいずれにも横方向の成分が存在しており、合力であって直進はできず、円弧である。  すなわち地上においても、地面が切れるとしたら、重力で落下するほかに、公転により回転体は下方向に０：１００まで公転して移動するので、その際の加力方向と公転方向はＢに等しく直角である。【００１２】  このことは重力のない即ち地面のない宇宙においては、Ａへの加力は回転ゼロの回転体の質量の中心への加力と等しく直線の作用反作用即ち直線法を示して加力と逆方向に進み、Ａの地面に匹敵する摩擦もなく直角の加力が除かれるから、公転できないで、加力による慣性移動のみであり地上におけるような、自発移動は不可能となる。  すなわち重力による加力による摩擦がＡにはないために回転に応じた横方向の加力に対する反作用が発生しないで横移動しない。【００１３】  Ｂにおいては地上では加力方向が接地する頂点と中心軸即ち重心と平行、宇宙では頂点と中心軸とを結ぶ線と平行方向で、いずれも頂点方向以外の、即ちＡへの加力方向と平行あるいは直角に（いずれも等しくなる）加力することにより、公転するもので、宇宙ではＡへの加力では摩擦による横方向の加力がないので重心の横移動がないために横移動はできず、地上同様回転ゼロの回転体の移動しかできない。  これより地上では常識の回転体の直進は、宇宙よりみれば重力による特殊な状態での現象といえる。【００１４】  また、上記Ｂの原理、即ち反作用が直線とならない原理即ち直角法を互いに逆転する対の回転体に組み合わせて、直線法では進行方向は互いに逆となって進行は起こらず、反作用は逆直線上となるために反作用の相殺での移動は不可能であるものを、互いに対抗して逆回転する回転体の反作用を直角法により、互いに反作用を相殺すれば同一方向に公転して、単体ではできなかった直進が初めて可能となるもので、地面を蹴る等、周囲の環境と関係なく、宇宙でも加力に対して対どうしが互いに反作用を相殺して同一方向に直角に直線で位置移動して進行でき、また地上の重力圏内でも適用できる。【００１５】  まとめると  回転体の移動は    直線法ーＡ  自転と中心軸と頂点を結ぶ方向への加力と直角の加力による移動。  （ニュートン等先哲による直線の作用反作用と回転ゼロの回転体の加力）    直角法ーＢ  自転と内径を含む中心軸と頂点を結ぶ線以外への平行な加力による移動。    相殺法ーＣ  Ｂの直角法を対抗して、反作用の角度が直線でないために反作用を互いに相殺して移動。【００１��】結果    回転体の移動は  １  中心軸への加力は直線法であり、以外への加力は直角法を表す。  ２  直角法を対抗することで周囲と関係なく自発移動する。        注  直線法は地上等の重力または重力に替わる力でのみ有効。【００１７】  このことは、直線法では地面、ロケットの噴射等の対象のない場では不可能とされていた物体の移動が、本直角法により反作用を相殺することにより可能となるものである。  すなわち、今まで述べた方法で二方向の押さえとなる直線となり、あとの二方向からの即ち直角に対の回転体を組み合わせることにより、真正の直線となる。【００１８】  また単体あるいは単体の並列の回転体においては、地上等のように発生する重力圏内あるいは回転による擬似重力圏内において、直角法により重力に抗して移動することにより発生する位置エネルギーを反作用の受け部の車輪等の回転体に直線法により戻してあるいは戻さずに移動でき、また直線法の発明になる車輪により相殺法と併用して、重力に抗する事なく移動するもので、無重量状態において、人体、物資等の質量の適宜位置に回転体を設置して、逆回転部位に加力部を設けて、設置した階段状等の受け部を直角法により移動することができて、直線法による宇宙遊泳等の危険な移動方法でなく、信頼性の高い作【００１９】  業が可能となり、重力圏内あるいは無重力圏内により、直線法あるいは直角法あるいは相殺法を併用し、あるいは使い分けて移動することが車体あるいは単体の並列あるいは対あるいは対以上、積層の回転体を含めて可能となり、また無重量状態あるいは重力圏内において、各々の圏内あるいは互いの境界等の条件に応じて、直線法と直角法と相殺法を併用しあるいは単独使用と適宜使い分けて移動して効率的で減速増速時の事故を防ぎ、直角法により移動し、あるいは相殺法により移動するとともに、互いの出力に差を生ぜしめてあるいは回転体を回転して進行方向を周囲に大きな影響を与えずに変えて移動することができ、また回転体の単体、単体の並列あるいは対、積層の回転体において、主として互いに逆転して構成するものであるから常に回転がかかるので、直接人間等生物を搭載した系を片側に設置することは困難である。したがって回転体の各々の質量差あるいは出力差により回転差を生ぜしめて出力を均衡して、あるいは互いの回転と別個の中立な系を一体に構成して回転による荷重負担を減ずる。また電子の出力のように直線法を示す回転体は円形、大小等形状を限らず回転するものはすべて直角法の要素を有する。これを要するに、直角法、あるいは相殺法、あるいは直線法との用による方法および構造の回転体の角度変換移動移動方法６および移動体である。
【産業上の利用可能性】
【００２０】  従来の摩擦あるいはガス等の噴射によらなければ、移動が不可能であった、先哲の直線法による移動は力の効率が悪く、対象がなければ動けず、事故の多い航空機、自動車、電車、ロケット等はすべて古来よりの直線の作用反作用の、直線法の方向付けによる発明、創造に起因するものであり、宇宙開発も同じ手法の地上で通用する直線法を延長して行われているものであり、本原理の直角法を用いて大型の移動体を作れば、現在多くの犠牲を払って営々となされている衛星建設も、移動原理の違いによりもっと楽に安全になり、回転体の小型化も十分可能で、周囲に影響を与えずに移動が可能であるので、事故、災害時の狭隘部分への進入作業、あるいは人体内の諸器具の誘導等、人類が重力内外を問わず移動し、あるいは機器自身が移動するための、次代の産業革命の核となるものである。【００２１】  本願は回転体による角度変換移動方法の全体像を表すもので、派生する効果は先哲の直線法に対峙するもので、直角法が日常生活上表われる場面が限られているために、あるいは重力の環境にあるために直線法に埋没していたに過ぎない。  すなわち回転体による角度変換移動方法を用いることにより、ガソリン等原動力により発生する力を有効利用する途が開かれて資源枯渇あるいは環境問題の解決を少しでも先延ばしでき、また現在は直線法の高度な技術と危険を背負う宇宙開発のネックである移動方法を平易に解決するものである。【００２２】  また本発見発明は、基礎的要素が多くその有する瞬間移動性、移動環境との無関係等善用悪用の二面性を有している。  直線法は重力の及ぶ範囲の物体の移動原理を主体として、無回転体の慣性の動きと回転体の一部の動作に適用するものであり、本発見により自動車のブレーキ作動時の沈み込み、独楽の停止時の挙動等の諸現象の説明がつく。
【図面の簡単な説明】  図なし。
【符号の説明】
符号なし。
【手続補正２】
【補正対象書類名】特許請求の範囲
【補正対象項目名】全文
【補正方法】変更
【補正の内容】
【特許請求の範囲】
【請求項１】
自転と内径を含む中心軸と頂点を結ぶ線以外への平行な加力の直角法による方法および構造の回転体による角度変換移動方法６および移動体。
【請求項２】
直角法を対抗して、反作用の角度が直線でないために互いに反作用を相殺して移動する相殺法による方法および構造の回転体による角度変換移動方法６および移動体。
【請求項３】
重力圏内あるいは擬似重力圏内において、直角法により重力に抗して移動することにより発生する位置エネルギーを直線法により回転体に戻してあるいは戻さずに移動し、あるいは併用して移動する方法および構造の請求項１及び請求項２および請求項３の回転体による角度変換移動方法６および移動体。
【請求項４】
無重力圏内において、質量の適宜位置に回転体を設置して、逆回転部位に加力部を設けて、設置した階段状等の受け部を直角法により、あるいは相殺法と併用あるいは直線法と併用して移動する方法および構造の請求項１及び請求項２および請求項３および請求項４の回転体による角度変換移動方法６および移動体。
【請求項５】
無重量状態あるいは重力圏内において、各々の圏内あるいは互いの境界等の条件に応じて、直線法と直角法と相殺法を併用しあるいは単独使用と適宜使い分けて移動する方法および構造の請求項１及び請求項２および請求項３および請求項４および請求項５の回転体による角度変換移動方法６および移動体。
【請求項６】
回転体の移動において直角法により移動し、あるいは相殺法により移動し、互いの出力に差を生ぜしめて、あるいは回転体の進行方向を回転して、進行方向を変えて移動する方法および構造の請求項１および請求項２および請求項３および請求項４および請求項５および請求項６の回転体による角度変換移動方法６および移動体。
【請求項７】
人間等生物を搭載した系において回転体の各々の質量差あるいは出力差により回転差を生ぜしめて出力を均衡して、あるいは互いの回転と別個の中立な系を一体に構成して回転による荷重負担を減ずる方法および構造の請求項１および請求項２および請求項３および請求項４および請求項５および請求項６および請求項７の回転体による角度変換移動方法６および移動体。
【手続補正書】
【提出日】平成18年5月29日(2006.5.29)
【手続補正１】
【補正対象書類名】明細書
【補正対象項目名】全文
【補正方法】変更
【補正の内容】
【発明の詳細な説明】
【技術分野】
【０００１】  回転体による移動体において、回転体による角度変換移動方法および移動体に関する。
【背景技術】
【０００２】  物体の移動は古米、直線の作用反作用（以下直線法と称す）のニュートン等先哲の運動の法則により、決められ、またそのように学び、そのように見えてきた。
【特許文献１】  特願２００１−５４００４７
【特許文献２】  特願２００５−１１２７１８
【非特文献１】
高校教科書−物理
【発明が解決しようとする課題】
【０００３】  回転する自動車の車輪等の回転体を観察するに上記の法則にそぐわないことがある。
【課題を解決するための手段】
【０００４】  回転体に力を加え（以下加力と称す）て移動する場合、回転体の
2007252010.tif 000002
の加力の方法が考えられる。
一つは円周を頂点として中心軸方向への加力と（これをＡとする。）
いま一つは中心軸以外の方向への加力である（これをＢとする）。
Ａにおける加力をみると
【０００５】  円周を頂点として中心軸への加力、あるいは逆方向への加力であり、地上におれるタイヤ等の加力状態を表している。
したがって円周と地面との接地点を頂点として、あるいは仮の支点としてタイヤ（以下回転体と称す）は回転体の重心を含む全体が回転（以下公転と称す）している。
しかし地面が連続しているために、微分的にみれば次々と加力と頂点が連続した状態と考えられ、下からの加力に沿ってはいるが直しているものではない。
【０００６】  本来頂点を軸に公転すべきもの、つまり進行方向に対して初期に横方向と下方向の比が１００：０で次第に下方向の成分が増して直角では０：１００となるもので、最終方向は加力方向に対して直角である。
したがって公転の最大径の直角で公転は終わって接線方向で自転となるものである。
すなわち回転体への加力のうち円周より頂点への加力では、中心軸方向への加力のために回転する物体は直進できないもので、頂点への加力の連続により横移動するものであり、地上の場合摩擦による横の地上は押さえ付けにの重力に付随して発生している。
【０００７】  直進しているように思えるのは、タイヤ等のクッション性による振動の吸収が大きく作用しているもので、慣性移動時と加速移動時には、タイヤ音さえ変わる。
【発明の効果】
【０００８】  現今、ニュートン等先哲の直線の作用反作用の法則による直線法に方向付けられてなされている、現代科学による開発、発明、創造のもたらしている文明の一部は、閉塞感、地球環境、あるいは資源問題等等の混乱危機的な状況を呈しており、解決すべき緊急の課題であり、例えば本方法を用いれば直線法では用いることなく捨てていた原動力の球形の爆発の六分の五の力の利用も可能となる等、現在の状況を乗り越えるために柔軟な衆知により展開するに値する具体性ある着想である。
【発明を実施するための最良の形態】
【０００９】  すなわち回転体の自発移動即ち公転は地上ではＡもＢも可能であるが、無重力ではＢに収斂するもので、それ以外の運動方法は回転体を含めた直線法の慣性移動しかない。
回転体の移動においてＡに表す、先哲の直線法は回転体の自転と中心軸方向の加力と直角の加力の、二方向の加力（動けば直角法となる）と回転体を含む無回転体への加力であり、Ｂに表す自転と中心軸以外の方向への加力による回転体の移動方法（以下直角法と称す）が存在し、Ｂの方法でも移動は行えるものである。
【実施例１】
【００１０】例示する図面により述べれば、
回転体１０のグラインダー７に物８を当てると火花９が接線方向に出るが、回転体の火花がが出る位置（水平位置）に棒（受け部）１５を置き、中心軸２′をフリーにすると回転体１０は仮の支点２を軸に公転４する。例えれば棒高とひの合力である。
地上では自転３する回転体は重力１１により摩擦６が発生して横に進行するとする、従来の考え方があるが、地面等の対象１２がなければ、最終点を仮の支点２として公転４して直進していない。
図５の図の一方向から加力１すると、垂直下と水平右の間にだけ逆行ない自転方向への移動成分１３がある。
回転体を含む物体１６の重心２を押すと、従来の直線法の軌跡５′となり、回転体は重力１１下で動くと直角法となって直進していない。【００１１】重力圏内では回転体の自転３と棒（受け部）１５を繰り返すことにより回転体は直角法の軌跡５を描いて進行し、直角法と直線法とは、互いに位相が９０度ずれており、無重力圏内における回転体の質量移動は重力で戻されないために最大径が接線方向となって、階段状に進行の軌跡４となり、直線法、直角法のいずれも地面等の対象１２がなければ移動できないが、図１０、１１、の相殺法では、互いに逆転して反作用を相殺して、回転体を取り付けた系は対象を必要とせず、重力圏内、無重力圏内に関係なく、直角に直進移動する移動する回転体を取り付けた系の軌跡１４となる。
図１２は積層状の回転体の仮の支点が連続した加力点１７、１７′が互いに当たり、受け部１５を要しない相殺法の例示である。
次にＢにおける中心軸以外の方向への加力をみると、回転している回転体の主として逆回転している部位の、内径を含む水平方向に垂直に加力することにより、回転体は加力点を仮の支点として、初期に縦と横の比が１００：０で次第に０：１００となって公転する。【００１２】  しかしてその反作用は表れる横成分に対して直角となる。
この場合軌跡は円周方向であるから、９０度で接線方向の自転となり地上では重力により重力加速度に優るまでの移動では原点に戻り、重力のない宇宙ではその点あるいは延長が次の公転の出発点となるので斜に上がるか対にしてバネ等で復帰しなければならない。
これらよりＢとＡは互いに位相が９０度ずれて発生するもので、地上ではいずれにも横方向の成分が存在しており、合力であって直進はできず、軌跡は円弧である。
すなわち地上においても、地面が切れるとしたら、重力で落下するほかに、公転により回転体は下方向に０：１００まで公転して移動するのでその際の加力方向と公転方向はＢに等しく直角である。【００１３】  このことは重力のない即ち地面のない宇宙においては、Ａへの加力は回転ゼロの回転体の質量の中心への加力と等しく直線の作用反作用即ち直線法を示して加力と逆方向に進み、Ａの地面に匹敵する摩擦もなく直角の加力が除かれるから、公転できないで、加力による慣性移動のみであり地上におけるような、自発移動は不可能となる。
すなわち重力による加力による摩擦がＡにはないために回転に応じた横方向の加力に対する反作用が発生しないで横移動とない。【００１４】  Ｂにおいては地上では加力方向が接地する頂点と中心軸即ち重心と平行、宇宙では頂点と中心軸とを結ぶ線と平行方向で、いずれも頂点方向以外の、即ちＡへの加力方向と平行あるいは直角に（いずれも等しくなる）加力することにより、公転するもので、宇宙ではＡへの加力では摩擦による横方向の加力がないので重心の横移動がないために横移動はできず、地上同様回転ゼロの回転体の移動しかできない。
これより地上では常識の回転体の直進は、宇宙よりみれば重力による特殊な状態での現象といえる。【００１５】  また、上記Ｂの原理、即ち反作用が直線とならない原理即ち直角法を互いに逆転する対の回転体に組み合わせて、直線法では進行方向は互いに逆となって進行は起こらず、反作用は逆直線上となるために反作用の相殺での移動は不可能であるものを、互いに対抗して逆回転する回転体の反作用を直角法により、互いに反作用を相殺すれば同一方向に公転して、単体ではできなかった直進が初めて可能となるもので、地面を蹴る等、周囲の環境と関係なく、宇宙でも加力に対して対どうしが互いに反作用を相殺して同一方向に直角に直線で位置移動して進行でき、また地上の重力圏内でも適用できる。【００１６】  まとめると、回転体の移動は
直線法−Ａ  自転と中心軸と頂点を結ぶ方向への加力と直角の加力による移動。
（ニュートン等先哲による直線の作用反作用と回転ゼロの回転体の加力）
直角法−Ｂ  自転と内径を含む中心軸と頂点を結ぶ線以外への平行な加力による移動。
相殺法−Ｃ  Ｂの直角法を対抗して、反作用の角度が直線でないために反作用を互いに相殺して移動。【００１７】結果
回転体の移動は
１  中心軸への加力は直線法出あり、以外への加力は直角法を表す。
２  直角法を対抗することで周囲と関係なく自発移動する。
注  直線法は地上等の重力または重力に替わる力でのみ有効。【００１８】  このことは、作用が反作用に直線で従属せず、直線法では地面、ロケットの噴射等の対象のない場では不可能とされていた物体の移動が、本直角法により反作用を相殺することにより可能となるものである。
すなわち、今まで述べた方法で二方向の押さえとなる直線となり、あとの二方向からの即ち直角に対の回転体を組み合わせることにより、真正の直線となる。【００１９】  また単体あるいは単体の並列の回転体においては、地上等のように発生する重力圏内あるいは回転による疑似重力圏内において、直角法により重力に抗して移動することにより発生する位置エネルギーを反作用の受け部の車輪等の回転体に直線法により戻してあるいは戻さずに移動でき、また直線法の発明になる車輪により相殺法と併用して、重力に抗することなく移動するもので、無重量状態において、人体、物資等の質量の適宜位置に回転体を設置して、逆回転部位に加力部を設けて、設置した階段状等の受け部を直角法により移動することができて、直線法による宇宙遊泳等の危険な移動方法でなく、信頼性の高い作【００２０】  業が可能となり、重力無重力に関係なく、移動が可能となり、また、各方法を使い分けて、重力無重力の境界等環境に応じて移動時に発生する事故を防止し、また回転体の互いの出力に差を生じせしめて周囲に影響を与えずに進行しあるいは方向を変え得る。
また、回転体の各移動方法において、主として互いに逆転して構成するものであるから、常に回転がかかるので、直接人間等生物£搭載した系を片側に設置することは困難である。したがって回転体の各々の質量差あるいは出力差により回転差を生ぜしめて出力を均衡して、あるいは互いの回転と別個の中立な系を一体に構成して回転による過重負担を減ずる。また電子の出力のように直線法を示す回転体は円形、大小等形状を限らず回転するものはすべて直角法の要素を有する。
すなわち回転体を含む物体の移動は重心を押引する直線法であり、回転体の移動には、直線法の他に、直角法と相殺法とが存在する。
これを要するに、直角法、あるいは相殺法、あるいは直線法との併用による回転体の移動の方法および構造の回転体による角度変換移動方法６および移動体である。
【産業上の利用可能性】
【００２１】  従来の摩擦あるいはガス等の噴射によらなければ、移動が不可能であった、先哲の直線法による移動は力の効率が悪く、対象がなければ動けず、事故の多い航空機、自動車、電車、ロケット等はすベて古来よりの直線の作用反作用の、直線法の方向付けによる発明、創造に起因するものであり、資源環境の現状を来し、宇宙開発も同じ手法の地上で通用する直線法を延長して行われているものであり、本原理の直角法を用いて大型の移動体を作れば、現在多くの犠牲を払って営々となされている衛星建設等も移動原理の違いによりもっと楽に安全になり、回転体の小型化も十分可能で、周囲に影響を与えずに移動が可能であるので、事故、災害時の狭隘部分への進入作業、あるいは人体内の諸器具の誘導等、人類が重力内外を問わず移動し、あるいは機器自身が移動するための、基礎的な、ローテクの次代の産業革命の核となる発見発明である。【００２２】  本願は回転体による角度変換移動方法の全体像を示すもので、派生する効果は先哲の直線法に対峙するもので、直角法が日常生活上表われる場面が限られているために、あるいは重力の環境にあるために直線法に埋没していたに過ぎない。
【図面の簡単な説明】
【００２３】
【図１】回転体のグラインダーに物を当てると火花が接線方向に出る模式図。
【図２】回転体の火花がが出る位置（水平位置）に棒（受け部）を置き、中心軸をフリーにすると回転体は仮の支点を軸に公転する模式図。
【図３】地上では自転する回転体は重力により摩擦が発生して横に進行するとする、従来の考え方の模式図。
【図４】地面等の対象がなければ、最終点を仮の支点として公転して直進していない模式図。
【図５】図の一方向から力を加えると、１と２の間にだけ逆行しない自転方向への移動成分がある模式図。
【図６】回転体を含む物体の重心を押す場合の直線法の軌跡と模式図。
【図７】回転体は重力下でも動くと直角法となって直進していないが、直線法とする軌跡と模式図。
【図８】重力圏内における回転体の移動の直角法の軌跡と模式図。
【図９】無重力圏内における回転体の質量移動の直角法の軌跡と模式図。
【図１０】互いに逆転して反作用を相殺して、取り付けた系は対象を必要とせず、重力圏内無重力圏内に関係なく直角に直進移動する相殺法の移動の軌跡と模式図。
【図１１】互いの回転体の加力点が当たりながら、回転体が移動して直角進行する相殺法の移動の軌跡と模式図。
【図１２】図１１の要部斜視図。
【符号の説明】
【００２４】１    作用反作用の加力。
２    仮の支点または中心軸または重心または加力点。
２′  フリーにした状態の中心軸。
３    回転体の自転。
４    公転（加力による回転体の合力移動）。
５    回転体の軌跡。
５′  回転体を含む物体の軌跡。
６    摩擦。
７    グラインダー。
８    物。
９    火花。
１０  回転体。
１１  重力。
１２  対象。
１３  逆行しない横移動の成分位置。
１４  回転体を取り付けた系の軌跡。
１５  棒（受け部）。
１６  回転体を含む物体。
１７、１７′  仮の支点が連続した加力点。
【手続補正２】
【補正対象書類名】図面
【補正対象項目名】全図
【補正方法】追加
【補正の内容】
【図１】
2007252010.tif 000003
【図２】
2007252010.tif 000004
【図３】
2007252010.tif 000005
【図４】
2007252010.tif 000006
【図５】
2007252010.tif 000007
【図６】
2007252010.tif 000008
【図７】
2007252010.tif 000009
【図８】
2007252010.tif 000010
【図９】
2007252010.tif 000011
【図１０】
2007252010.tif 000012
【図１１】
2007252010.tif 000013
【図１２】
2007252010.tif 000014